(57)【要約】  【課題】  仰向けで寝そべった状態或いはそれからやや上体を起こした状態で、例えばノートパソコン等の電子機器を操作できる簡単な構造の電子機器用スタンド２を提供する。  【解決手段】  本電子機器用スタンド２は、設置面３０上に置かれる足部材４、足部材４に対して鋭角を成す角度αで取り付けられた脚部材６及び足部材４・脚部材６間に固定されて脚部材６を保持して脚部材の足部材４に対する角度αを保持する保持部材８からなる一対の支持体１０・１０と、一対の支持体１０・１０の脚部材６の下端から人の胴体が入るに必要な高さよりも上の部分間に固定された受け板１２と、受け板１２の保持部材８が在る側と反対側の面の下辺部に受け板１２に電子機器が置２０かれたときの自重による滑りを止める滑り止め片１４と、を有する。【選択図】        図１
0003109471.tif 000002
【実用新案登録請求の範囲】
【請求項１】
設置面上に置かれる足部材、該足部材に対して鋭角を成す角度で取り付けられた脚部材及び上記足部材・脚部材間に固定されて該脚部材を支持して該脚部材の上記足部材に対する上記角度を保持する保持部材からなる一対の支持体と、
上記一対の支持体の上記脚部材の下端から人の胴体が入るに必要な高さよりも上の部分間に固定された受け板と、
上記受け板の上記保持部材が在る側と反対側の面の下辺部に該受け板に電子機器が置かれたときの該電子機器の自重による滑りを止める滑り止め片と、
を有することを特徴とする電子機器用スタンド。
【請求項２】
前記滑り止め片に、前記受け板に置かれた電子機器の下端が前側にずれるのを抑止するずれ抑止手段を設けた
ことを特徴とする請求項１記載の電子機器用スタンド。
【請求項３】
前記受け板の上部両端間に、該受け板上に置かれた電子機器の上部乃至中間部に接してその転倒を防止する転倒防止手段を設けてなる
ことを特徴とする請求項１又は２記載の電子機器用スタンド。
【考案の詳細な説明】
【技術分野】
【０００１】
本考案は、仰向けて寝た状態或いはやや上体を起こした状態でノート型のパーソナルコンピュータ（以下「ノートパソコン」という。）等の電子機器を操作したり、電子機器のディスプレイを見たりすることのできる電子機器用スタンドに関する。
【背景技術】
【０００２】
足を前方に投げ出し、上体を起こした姿勢でノートパソコン等の携帯型電子機器を操作できるようにするものとして、特開２００２−１８６５２４号公報に記載された携帯型電子機器用のテーブルがある。
そのテーブルは、携帯型電子機器を載置する天板に、使用者の体格に合わせた長さ、間隔及び張り出し方向を調節した脚を取り付け、以て、天板の下に使用者の足を投げ出して天板を膝上又は腹部付近に位置させるようにしたものである。
【特許文献１】特開２００２−１８６５２４号公報
【考案の開示】
【考案が解決しようとする課題】
【０００３】
ところで、上記従来の技術によれば、上体を寝台、畳或いは床等の面に対してほぼ直角に起こさなければノートパソコン等の操作等ができないという問題があった。
というのは、天板は寝台、畳或いは床等の面に平行の向きを有するので、当然にその上に置かれるノートパソコン等も寝台、畳或いは床等の面に平行になるので、それを円滑に操作するには上体をその面にほぼ直角にする必要性が生じるからである。
【０００４】
しかし、上体を寝台、畳或いは床等の面に直角に起こすこと、そして起こした上体を保つことは、決して楽とはいえず、充分にリラックスができない。特に、病人はその上体を長く続けることが負担になる場合が多い。
【０００５】
本考案は、このような問題を解決すべく為されたものであり、仰向けで寝そべった状態或いはそれからやや上体を起こした状態で、例えばノートパソコン等の電子機器を操作できる簡単な構造の電子機器用スタンドを提供することを目的とする。
【課題を解決するための手段】
【０００６】
請求項１の電子機器用スタンドは、設置面上に置かれる足部材、該足部材に対して鋭角を成す角度で取り付けられた脚部材及び上記足部材・脚部材間に固定されて該脚部材を支持して該脚部材の上記足部材に対する上記角度を保持する保持部材からなる一対の支持体と、該一対の支持体の上記脚部材の人の胴体が入るのに必要な高さよりも上の部分間に固定された受け板と、該受け板の上記保持部材が在る側と反対側の面の下辺部に該受け板に電子機器が置かれたときの自重による滑りを止める滑り止め片と、を有することを特徴とする。
【０００７】
請求項２の電子機器用スタンドは、請求項１記載の電子機器用スタンドにおいて、前記滑り止め片に、前記受け板に置かれた電子機器の下端が前側にずれるのを抑止するずれ抑止手段を設けたことを特徴とする。
請求項３の電子機器用スタンドは、請求項１又は２記載の電子機器用スタンドにおいて、前記受け板の上部両端間に、該受け板上に置かれた電子機器の上部乃至中間部に接してその脱落を防止する転倒防止手段を設けてなることを特徴とする。
【考案の効果】
【０００８】
請求項１の電子機器用スタンドによれば、上記一対の支持体の上記脚部材間に保持された上記受け板の下に胴体を入れることができ、そして該電子機器受け台を支える上記一対の脚部材は設置面に置かれる上記足部材に対して鋭角なので、該受け板上に置かれる電子機器の角度を設置面に対して鋭角にすることができる。
従って、人の上体を設置面に対して直角に起こさなくても、或いは完全に仰向けに寝そべった状態でも電子機器に対して操作しやすい向きで対峙することができ、充分にリラックスして電子機器の操作、ディスプレイの凝視による映像ソフト等の鑑賞、ゲームソフトによるゲーム等ができ、長時間の使用、鑑賞等による疲労も少なくて済む。
依って、病人でも電子機器の操作、映像ソフトの鑑賞、ゲームソフトによるゲーム等が大きな疲労を伴うことなく為し得るし、特に病気にかかっていない人だとより楽でリラックスして電子機器の操作等が為し得る。
【０００９】
請求項２の電子機器用スタンドによれば、請求項１記載の電子機器用スタンドにおいて、前記滑り止め片に、前記受け板に置かれた電子機器の下端が前側にずれるのを抑止するずれ抑止手段を設けたので、振動等により電子機器の下端が前側にずれても該ずれ抑止手段により一定以上のずれを抑止し、電子機器用スタンドから脱落することを防止することができ、延いては、電子機器が壊れたり、使用者が電子機器に当たって痛い目にあったり、怪我をしたりすることを防止することができる。
【００１０】
請求項３の電子機器用スタンドは、請求項１又は２記載の電子機器用スタンドにおいて、前記受け板の上部両端間に、該受け板上に置かれた電子機器の上部乃至中間部に接してその脱落を防止する転倒防止手段を設けたので、電子機器が滑り止め片に支持された下端部を起点として前側に倒れることをその転倒防止手段により防止することができ、延いては電子機器が壊れたり、使用者が電子機器に当たって痛い目にあったり、怪我をしたりすることを防止することができる。
【考案を実施するための最良の形態】
【００１１】
本考案電子機器用スタンドは、基本的には、一対の支持体と、該一対の支持体間に固定された受け板と、上記受け板の滑り止め片からなるが、これらの部材の材料は、木材であっても樹脂であっても、金属であっても良く、特には限定されない。
また、ずれ抑止手段は必ずしも不可欠ではない。というのは、滑り止め片の受け板の前方（受け板の電子機器を受ける面側）への突出量（突出長さ）が電子機器の厚さよりも充分に大きければずれにより電子機器が電子機器用スタンドから脱落するトラブルの起きる確率はきわめて低いからである。
【００１２】
但し、ずれ抑止手段を設けた方がより安全率が高くなることは確かである。その場合、複数の片を滑り止め片に設けるようにしても良いし、一つの長い片を滑り止め片に設けることによりずれ防止のための長い片、滑り止め片及び受け板の下部により溝ができるようにしても良い。後で述べる実施例においては前者を採用している。
また、転倒防止手段は設けることは不可欠ではない。というのは、慣れてしまうと、電子機器が滑り止め片に支えられた下端部を起点として前に倒れるというトラブルはほとんどなくなるからである。
しかし、慣れないうちは、そのようなトラブルが起きる可能性がなきにしもあらずなので、より安全性を高めるために設けるようにしても良い。
その場合、紐、糸、或いは縄状の物の両端を受け板の上部両端に固定し、その紐、糸、或いは縄状の物と、受け板との間に電子機器が通る状態で使用するようにすると良い。
【実施例１】
【００１３】
以下、本考案の詳細を図示実施例に基いて説明する。
図１（Ａ）、（Ｂ）は、本考案電子機器用スタンドの第１の実施例を示すもので（Ａ）はその実施例の斜視図、（Ｂ）は一つの使用例を示す側面図である。以下に、先ず、図１（Ａ）を参照して本電子機器用スタンド（２）の構造を説明する。
２は本電子機器用スタンド、４、４は一対の足部材で、断面が正方形又は長方形の角材からなり、電子機器用スタンド２の設置面上に置かれるものである。６、６は該足部材４、４の一端部（前端部）からやや離間したところに一端が固定された脚部材で、断面は正方形又は長方形である。そして、図１（Ａ）に示すように、一端を足部材４、４の上面に固定しても良いが、足部材４、４の外側面或いは内側面に固定するようにしても良い。
【００１４】
また、固定手段は、釘を使っても良く、また、接着剤で接着するようにしても良く、また、蟻合等はめ込みによっても良い等、限定されない。
そして、脚部材６、６は足部材４、４に対する角度αが鋭角、例えば５５〜７５度になるように固定されている。
８、８はその脚部材６、６の足部材４、４に対する角度αを所定の角度（鋭角、即ち９０度よりも小さい角度）に保つための保持部材で、断面正方形又は長方形の角材からなる。そして、保持部材８、８の一端が足部材４、４に、他端が脚部材６、６に固定されており、保持部材８、８の上記一端の足部材４、４に固定された位置は、脚部材６、６の足部材４、４に固定された位置よりも後方である。
【００１５】
該保持部材８、８の上記他端、即ち、脚部材６、６に固定された端は、脚部材６、６の下端よりも高い位置に固定されている。
一つの脚部材４、一つの脚部材６及び一つの保持部材８によって一つの支持体１０が構成され、このような支持体１０が一対１０、１０設けられ、この一対の支持体１０、１０によって電子機器を受ける受け板１２が保持されるのである。この一対の支持体１０・１０間の間隔は人の胴体が入り得るに必要な大きさであることが必要である。
受け板１２は保持する対象、即ち電子機器、例えばノートパソコン２０を受けるに必要な面積及び強度を有する板材からなり、上記一対の支持体１０、１０の上記脚部材６、６のほぼ上半部間に固定されており、設置面、足部材４、４、脚部材６、６、保持部材８、８及び受け板１２の間に人の胴体が入る間隙が生じるようにされている。
【００１６】
１４は受け板１２の下辺に前側に突出するように固定された滑り止め片で、保持される電子機器２０の下端を受けてその電子機器２０が受け板１２面上を下側に滑って落下するのを抑止する。
１６、１６は上記滑り止め片１４に固定されたずれ抑止片（特許請求の範囲のずれ抑止手段に該当する。）で、該ずれ抑止片１６、１６自身と滑り止め片１４と受け板１２とによって溝が形成され、その溝に電子機器例えばノートパソコン２０の下端部が収まる。
１８は転倒防止手段で、本実施例では紐からなり、その両端が受け板１２の上辺の両端部に固定される。そして、その紐１８と受け板１２との間に電子機器２０が通る状態で使用する。
【００１７】
この図１（Ａ）に示す電子機器用スタンド２は、例えば図１（Ｂ）に示すようにして使用する。図において、３０は電子機器用スタンド２が設置される設置面、４０は使用者、４２は丸めた布団、４４はその丸めた布団４２上に置いた枕である。
使用者４０は仰向けで、胴体（例えば腰の部分乃至その近傍）を、上記設置面３０、設置面、足部材４、４、脚部材６、６、保持部材８、８及び受け板１２の間に通し、寝た状態からやや上体を起こした向きにし、その向きで背中を上記丸めた布団４２で支えられた状態にする。すると、相当に楽になる。
【００１８】
そして、上記受け板１２上に電子機器、例えばノートパソコン２０を置き、その下端が上記滑り止め片１４上に位置するようにする。その状態になると、電子機器、例えばノートパソコン２０の下端部の前側へのずれは上記ずれ防止片１６、１６によって抑止される。
更に、電子機器、例えばノートパソコン２０の中間部を上記紐１８により押さえた状態にし、転倒を防止する。
そして、その状態で電子機器、例えばノートパソコン２０を使用する。
【００１９】
このような電子機器用スタンド２によれば、人の上体を設置面３０に対して直角に起こさなくても、電子機器、例えばノートパソコン２０に対して操作しやすい向きで対峙することができ、充分にリラックスして電子機器の操作、ディスプレイの凝視による映像ソフト等の鑑賞、ゲームソフトによるゲーム等ができ、長時間の使用、鑑賞等による疲労も少なくて済む。
依って、病人でも電子機器の操作、映像ソフトの鑑賞、ゲームソフトによるゲーム等を大きな疲労を伴うことなく為し得る。
【００２０】
尚、上記実施例では、仰向けに寝た状態から上体をやや起こした向きで、電子機器、例えばノートパソコン２０を操作しているが、完全に仰向けに寝た状態でも使用することは充分に可能である。
【産業上の利用可能性】
【００２１】
本考案は、仰向けて寝た状態或いはやや上体を起こした状態でノートパソコン等の電子機器を操作したり、電子機器のディスプレイを見たりすることのできる電子機器用スタンドに産業上の利用可能性があり、電子機器として上記実施例ではノートパソコンが例として挙げられていたが、必ずしもこれに限定されるものではなく、ＤＶＤプレーヤ、ゲーム機等各種のものに本考案を適用できる。
【図面の簡単な説明】
【００２２】
【図１】（Ａ）、（Ｂ）は、本考案電子機器用スタンドの第１の実施例を示すもので、（Ａ）は斜視図、（Ｂ）は電子機器用スタンドの一つの使用例を示す側面図である。
【符号の説明】
【００２３】
２・・・電子機器用スタンド、４・・・足部材、６・・・脚部材、８・・・保持部材、
１０・・・支持体、１２・・・受け板、１４・・・滑り止め片、
１６・・・ずれ抑止手段（ずれ抑止片）、１８・・・転倒防止手段、
２０・・・電子機器（ノートパソコン）。
【図１】
0003109471.tif 000003